(57)【要約】【課題】増幅部と電源部とを積層させることで、電子機器の設置面積の低減を図ると共に、ヒューズの交換時の作業効率の向上が図られた電子機器を提供する。【解決手段】電子機器は、端子に入力された信号を増幅する増幅器と、増幅器を収容する第１収容ケースと、増幅器の背面側に配置され、外部電源からの電力を増幅器に供給する電源部とを備え、電源部１４０は、基板１４１と、操作面に向けて立設するように基板１４１に設けられ、ヒューズ１７０を内部に収容するヒューズホルダ１６１と、一端側がヒューズホルダ１６１の端部に接続され、他方端が第２主表面より第１主表面側に達するヒューズキャップ１６２とを含み、ヒューズホルダ１６１は、筒状に形成され、ヒューズ１７０が挿入される胴体部１７２と胴体部１７２の端部に係止され、ヒューズ１７０を保持するヒューズ保持部１７１とを含み、ヒューズキャップ１６２は、ヒューズ保持部１７１と係合し、ヒューズキャップ１６２を操作することで、ヒューズ１７０を胴体部１７２に対して着脱可能とされた。【選択図】図１１
2010135216.tif 000002
【特許請求の範囲】
【請求項１】
端子と、
前記端子に入力された信号を増幅する増幅器と、
前記増幅器を収容すると共に、第１主表面に前記増幅器を操作する操作部が設けられた収容ケースと、
前記第１主表面と反対側に位置する前記収容ケースの第２主表面側に設けられ、外部電源からの電力を前記増幅器に供給する電源部と、
を備えた電子機器であって、
前記電源部は、基板と、前記第２主表面に向けて立設するように前記基板に設けられ、ヒューズを内部に収容するヒューズホルダと、一端側が前記ヒューズホルダの端部に接続され、他方端が前記第２主表面より前記第１主表面側に達するヒューズキャップとを含み、
前記ヒューズホルダは、筒状に形成され、前記ヒューズが挿入される胴体部と前記胴体部の端部に係止され、前記ヒューズを保持するヒューズ保持部とを含み、
前記ヒューズキャップは、前記ヒューズ保持部と係合し、前記ヒューズキャップを操作することで、前記ヒューズを前記胴体部に対して着脱可能とされた、電子機器。
【請求項２】
前記ヒューズキャップの前記他方端は、前記第１主表面の近傍または前記第１主表面に達し、
前記第１主表面には穴部が形成され、
前記第１主表面を平面視すると、前記穴部内に前記ヒューズキャップの他方端が位置する、請求項１に記載の電子機器。
【請求項３】
前記ヒューズ保持部は、前記胴体部に回転可能に設けられ、
前記ヒューズ保持部の端部には、第１係合部および第２係合部が形成され、
前記ヒューズキャップは、前記ヒューズ保持部を受け入れる周壁部と、前記周壁部内に位置し、前記第１係合部と係合することで、前記ヒューズ保持部と前記ヒューズキャップとを一体的に回転可能とする第３係合部と、前記周壁部に形成され、前記第２係合部と係合することで前記ヒューズ保持部と前記ヒューズホルダとを一体的に前記ヒューズホルダの延在方向に移動可能とする第４係合部とを含む、請求項１または請求項２に記載の電子機器。
【請求項４】
前記周壁部には、該周壁部のうち前記第３係合部と隣り合う部分に窓部が形成された、請求項３に記載の電子機器。
【請求項５】
前記ヒューズキャップの前記他方端には、該ヒューズキャップに装着される工具と係合する工具用係合部が形成された、請求項１から請求項４のいずれかに記載の電子機器。
【発明の詳細な説明】
【技術分野】
【０００１】
本発明は電子機器であって、特に、テレビ共同受信用ブースタ等として利用される電子機器に関する。
【背景技術】
【０００２】
共同受信システム等に用いられるブースタ等の電子機器が従来から各種提案されている。
【０００３】
たとえば、特開２００３−２９８２６３号公報に記載された電子機器は、電子回路と電源回路と、壁面取付け可能なケース本体とを備えている。そして、ケース本体を壁面に取り付けたときに、電子回路と電源回路とがケース本体内部において、水平方向に並列に配列するように配置されている。
【０００４】
そして、この電子機器においては、電子回路を構成するトランジスタ等からの熱によって、電源回路の周囲温度上昇の抑制が図られている。
【特許文献１】特開２００３−２９８２６３号公報
【発明の開示】
【発明が解決しようとする課題】
【０００５】
しかし、上記特開２００３−２９８２６３号公報に記載された電子機器においては、電子回路と電源回路とが水平方向に配列することで、電子機器の設置面積が増大する。
【０００６】
そこで、電源回路を含む電源部と、電子回路を含む増幅器とを積層させることで、電子機器の設置面積の低減を図ることが考えられる。増幅器と電源部とを積層するときには、増幅器に設けられたスイッチ等を操作するために、増幅器の背面側に電源部を配置して、スイッチ等が設けられた操作面を正面に配置するのが好ましい。
【０００７】
その一方で、電源部には、外部電源に接続される電源コードが接続されており、電源部は、電源コードの接続部から所定距離内に設けられたヒューズを備えている。
【０００８】
一般に、ヒューズは、ヒューズホルダ内に収容されており、ヒューズホルダは、その安全性等を確保するためにＵＬ規格やＣＳＡ規格などの統一基準が定められている。
【０００９】
このため、ヒューズホルダの高さ等は一定の高さに定められており、上記のように増幅器の背面側に電源部を配置したのでは、規格のヒューズホルダの端部が操作面に全く届かなくなる。このように、ヒューズホルダが操作面から離れたものとなると、ヒューズの交換時に操作面から直接ヒューズホルダを操作し難くなり、カバーや収容ケースを取り外す等の手間を要することになる。
【００１０】
本発明は、上記のような課題に鑑みてなされたものであって、その目的は、増幅部と電源部とを積層させることで、電子機器の設置面積の低減を図ると共に、ヒューズの交換時の作業効率の向上が図られた電子機器を提供することである。
【課題を解決するための手段】
【００１１】
本発明に係る電子機器は、端子と、端子に入力された信号を増幅する増幅器と、増幅器を収容すると共に、第１主表面に増幅器を操作する操作部が設けられた収容ケースと、第１主表面と反対側に位置する収容ケースの第２主表面側に設けられ、外部電源からの電力を増幅器に供給する電源部とを備える。
【００１２】
そして、上記電源部は、基板と、第２主表面に向けて立設するように基板に設けられ、ヒューズを内部に収容するヒューズホルダと、一端側がヒューズホルダの端部に接続され、他方端が第２主表面より第１主表面側に達するヒューズキャップとを含む。さらに、上記ヒューズホルダは、筒状に形成され、ヒューズが挿入される胴体部と胴体部の端部に係止され、ヒューズを保持するヒューズ保持部とを含む。上記ヒューズキャップは、ヒューズ保持部と係合し、ヒューズキャップを操作することで、ヒューズを胴体部に対して着脱可能とする。
【００１３】
好ましくは、上記ヒューズキャップの他方端は、第１主表面の近傍または第１主表面に達し、第１主表面には穴部が形成される。そして、上記第１主表面を平面視すると、穴部内にヒューズキャップの他方端が位置する。
【００１４】
好ましくは、上記ヒューズ保持部は、胴体部に回転可能に設けられており、ヒューズ保持部の端部には、第１係合部および第２係合部が形成されている。そして、上記ヒューズキャップは、ヒューズ保持部を受け入れる周壁部と、周壁部内に位置し、第１係合部と係合することで、ヒューズ保持部とヒューズキャップとを一体的に回転可能とする第３係合部と、周壁部に形成され、第２係合部と係合することでヒューズ保持部とヒューズホルダとを一体的にヒューズホルダの延在方向に移動可能とする第４係合部とを含む。
【００１５】
好ましくは、上記周壁部には、該周壁部のうち第３係合部と隣り合う部分に窓部が形成される。
【００１６】
好ましくは、上記ヒューズキャップの他方端には、該ヒューズキャップに装着される工具と係合する工具用係合部が形成される。
【発明の効果】
【００１７】
本発明に係る電子機器によれば、電子機器の設置面積を低減することができると共に、ヒューズの交換を容易に行うことができる。
【発明を実施するための最良の形態】
【００１８】
図１から図１４を用いて本発明の実施の形態に係る増幅装置１００について説明する。なお、本発明の実施の形態に係る増幅装置１００は、典型的にはテレビ共同受信用のブースターとして適用される。
【００１９】
図１は、本発明の実施の形態に係る増幅装置１００の斜視図である。この図１に示すように、増幅装置１００は、複数の入出力端子１０９，１１０と、増幅部を収容する収容ケース１２０と、収容ケース１２０の背面側に設けられ、内部に電源部が収容された収容ケース１４２と、収容ケース１２０を覆うように設けられたカバー１１３とを備えている。
【００２０】
カバー１１３は、天板部と、この天板部の側辺部に連設された脚部とを備えている。天板部には、増幅部に設けられた複数のスイッチ１１２を操作するための穴部１１２ａやモニタ端子１１１を外方に露出させるための穴部１１１ａが複数形成されており、操作面１１５上でスイッチ１１２等を操作可能となっている。さらに、操作面１１５には、ヒューズユニット１６０を外部に露出させるための穴部１６０ａが形成されている。
【００２１】
増幅装置１００を設置面に固定する場合には、この操作面１１５が正面に位置し、操作面１１５と反対側に位置する増幅装置１００の背面が設置面に固定される。
【００２２】
このため、設置面に対して垂直な方向に収容ケース１４２および収容ケース１２０が積層されており、増幅装置１００の設置面積の低減が図られている。
【００２３】
図２は、図１に示す増幅装置１００からカバー１１３を取り外した状態における増幅装置１００を示す斜視図であり、図３は、図２に示す状態から天板１２１を取り外した状態における増幅装置１００の斜視図である。
【００２４】
ここで、図２に示すように、収容ケース１２０は、天板１２１と、周壁部１２２と、台座１２３とを備えている。周壁部１２２は環状に形成されており、台座１２３の上面上に固定されている。天板１２１は周壁部１２２上に固定されている。そして、台座１２３の上面と周壁部１２２の内周面と天板１２１とによって、図３に示す増幅部１３０を収容する収容室が規定されている。増幅部１３０は、基板１１４と、基板１１４の上面上に搭載された複数のスイッチ１１２およびモニタ端子１１１とを備えている。この増幅部１３０は、たとえば、入出力端子１１０から入力された信号を増幅して、他の入出力端子から出力する。ヒューズユニット１６０は、基板１１４の背面側から基板１１４に形成された穴部を通って、基板１１４から突出している。
【００２５】
図２に示す天板１２１には、複数の穴部１１２ｂおよび穴部１１１ｂが形成されており、スイッチ１１２の一部が穴部１１２ｂから突出し、モニタ端子１１１の一部が穴部１１１ｂから突出している。さらに、天板１２１には、穴部１６０ｂが形成されており、この穴部１６０ｂからヒューズユニット１６０の端部が突出している。
【００２６】
このように、ヒューズユニット１６０、スイッチ１１２およびモニタ端子１１１は、天板１２１に形成された穴部１６０ｂ，１１２ｂ，１１１ｂおよびカバー１１３に形成された穴部１６０ａ，１１２ａ，１１１ａによって外方に開放されており、操作面１１５から操作可能となっている。
【００２７】
このため、増幅装置１００を設置面に固定した後においても、ヒューズユニット１６０およびスイッチ１１２を操作したり、モニタ端子１１１にコードを接続したりすることができる。
【００２８】
また、操作面１１５および主表面１２０Ａを平面視すると、穴部１６０ａ，１６０ｂ内にヒューズユニット１６０の上端部が位置しており、穴部１６０ａ，１６０ｂを通して、ヒューズユニット１６０を操作し、ヒューズユニット１６０を増幅装置１００から引き抜くことができ、ヒューズユニット１６０内のヒューズを交換することができる。
【００２９】
そして、仮に、設置面のうち、増幅装置１００の上下方向に隣り合う部分に他の部材等が配置されたとしても、ヒューズユニット１６０、スイッチ１１２およびモニタ端子１１１は正面に位置する操作面１１５から操作等することができる。
【００３０】
図４は、上記図３に示す状態から増幅部１３０を取り外した状態を示す斜視図であり、図５は、図４に示す状態から周壁部１２２を取り外した状態を示す斜視図である。これら、図４および図５に示すように、台座１２３は、周壁部１２２および増幅部１３０が載置される載置板１２４と、載置板１２４の側辺部から垂下する脚部１２５，１２６を備えている。ヒューズユニット１６０は、収容ケース１４２内に収容された電源部に接続されており、載置板１２４には、ヒューズユニット１６０が挿入される穴部１６０ｃが形成されている。
【００３１】
図６は、収容ケース１４２および電源部１４０の斜視図である。電源部１４０は、収容ケース１４２内に収容された基板１４１と、この基板１４１に固定されたヒューズユニット１６０とを備えている。なお、基板１４１上には、電源回路を構成する複数の図示されない素子が搭載されている。
【００３２】
ヒューズユニット１６０は、基板１４１の上面上に固定され、内部にヒューズが収容されたヒューズホルダ１６１と、このヒューズホルダ１６１の上端部に係止されたヒューズキャップ１６２とを備えている。
【００３３】
図７は、ヒューズホルダ１６１の斜視図である。この図７に示すように、ヒューズホルダ１６１は、筒状に形成された胴体部１７２と、胴体部１７２の上端部に係止され、ヒューズ１７０を保持するヒューズ保持部１７１とを備えている。胴体部１７２は、筒状に形成されており、胴体部１７２の内部には収容室１７５が形成されている。胴体部１７２の上端部にヒューズ保持部１７１が装着されることで、収容室１７５が閉塞される。
【００３４】
胴体部１７２とヒューズ保持部１７１とは、バヨネット結合(bayonet coupling）されており、ヒューズ保持部１７１を胴体部１７２の上端部に装着し、ヒューズ保持部１７１を所定角度回転させることで、ヒューズ保持部１７１を胴体部１７２に装着することができる。
【００３５】
ヒューズ保持部１７１が胴体部１７２の上端部に装着された状態では、ヒューズ保持部１７１の下端部と胴体部１７２の上端部とによって、環状の係止溝１７３が形成されている。そして、ヒューズ保持部１７１の上端面には横長に形成された溝部１７４が形成されている。
【００３６】
ヒューズホルダ１６１としては、たとえば、サトーパーツ株式会社製の発注型番F-100等が採用され、UL規格およびCSA規格等の規格により高さ等の各寸法が規定されている。このため、上記図５に示すように、ヒューズホルダ１６１の上端部は、穴部１６０ｃから僅かに突出する程度である。そして、収容ケース１４２と収容ケース１２０とを積層させた本実施の形態に係る増幅装置１００では、ヒューズホルダ１６１の上端部は操作面１１５から大きく離れている。
【００３７】
図８は、ヒューズキャップ１６２を上方から見たときの斜視図であり、図９は、下方からヒューズキャップ１６２を見た斜視図である。
【００３８】
これら図８および図９に示すように、ヒューズキャップ１６２は、中空状に形成された把持部１８０と、把持部１８０の下端部に形成された周壁部１８１と、周壁部１８１の内周面に形成された爪部１８３と、把持部１８０内に設けられた係止部１８５とを備えている。
【００３９】
ここで、周壁部１８１は、ヒューズホルダ１６１のヒューズ保持部１７１を受け入れ可能なように中空状に形成され、周壁部１８１の下端部には開口部が形成されている。そして、爪部１８３は周壁部１８１の開口部の内縁部に形成されている。
【００４０】
図１０は、把持部１８０の断面図である。この図１０に示すように、把持部１８０および周壁部１８１は中空状に形成され、係止部１８５は把持部１８０の上端部から周壁部１８１の開口部に向けて延びている。係止部１８５は板状に形成されており、係止部１８５の下端部は、図７に示す溝部１７４に嵌りこむように形成されている。
【００４１】
窓部１８２は、図９に示すように、周壁部１８１のうち、係止部１８５の下端部と隣り合う部分に形成されている。
【００４２】
そして、ヒューズキャップ１６２をヒューズホルダ１６１の上端部に装着する際には、周壁部１８１内にヒューズ保持部１７１を挿入する。これにより、ヒューズキャップ１６２の爪部１８３が図７に示す係止溝１７３に係合し、ヒューズキャップ１６２とヒューズホルダ１６１とが一体的に、ヒューズホルダ１６１およびヒューズキャップ１６２の延在方向に移動可能となる。
【００４３】
さらに、係止部１８５の下端部が溝部１７４内に嵌りこむことで、ヒューズホルダ１６１およびヒューズキャップ１６２とが一体的に、ヒューズ保持部１７１の回転方向に回転可能となっている。
【００４４】
このため、図６に示すように、ヒューズホルダ１６１にヒューズキャップ１６２を装着した状態で、ヒューズキャップ１６２を回転させると、図１１に示すように、ヒューズ保持部１７１と胴体部１７２との係合状態を解除することができる。そして、ヒューズ保持部１７１に装着されたヒューズ１７０を胴体部１７２内から引き出すことができ、ヒューズ１７０を交換することができる。
【００４５】
そして、この増幅装置１００においては、ヒューズキャップ１６２の上端部は、図１に示すように、増幅装置１００を装着面に固定した状態であっても、操作面１１５側からヒューズキャップ１６２を操作することができる。
【００４６】
具体的には、ヒューズキャップ１６２の上端部に形成されたドライバ用溝１８４にマイナスドライバの先端部を挿入して、ヒューズキャップ１６２を回転させる。これにより、増幅装置１００からヒューズ１７０を引き抜き、ヒューズ１７０の交換を容易に行うことができる。
【００４７】
すなわち、収容ケース１２０および収容ケース１４２を積層させ、さらに、汎用品のヒューズホルダを採用した増幅装置１００においても、ヒューズキャップ１６２がヒューズホルダ１６１の高さを補充することで、操作面１１５からヒューズ１７０の交換が可能となっている。
【００４８】
なお、本実施の形態に係る増幅装置１００においては、ドライバ用溝１８４はマイナスドライバに対応させてマイナス形状の溝とされているが、プラスドライバに対応させて、プラス形状の溝としてもよい。
【００４９】
ヒューズキャップ１６２は、射出成形等により製造することができるので、本実施の形態に係る増幅装置１００の製造コストは、高さ寸法を高めた規格外のヒューズホルダを採用した増幅装置１００の製造コストよりも低廉なものとすることができる。
【００５０】
ヒューズキャップ１６２はヒューズホルダ１６１に後つけすることができるので、電源部１４０を保管および搬送する際には、ヒューズキャップ１６２を外した状態で、電源部１４０を保管等することができる。
【００５１】
ヒューズキャップ１６２が取り外された状態では、ヒューズホルダ１６１の高さは低く、電源部１４０が占める占有領域を小さく抑えることができ、搬送容積の低減を図ることができる。さらに、ヒューズキャップ１６２を取り外した状態で搬送等することで、ヒューズキャップ１６２が装着された場合よりも、他の部材との衝突および接触を低減することができ、電源部１４０の損傷を抑制することができる。
【００５２】
そして、増幅装置１００を組み立てる際には、ヒューズホルダ１６１の上端部にヒューズキャップ１６２を装着する。
【００５３】
この際、図９に示すように、窓部１８２からヒューズキャップ１６２の係止部１８５と、ヒューズ保持部１７１の溝部１７４との係合状態を確認しながら、ヒューズキャップ１６２およびヒューズホルダ１６１を互いに係合させることができる。
【００５４】
図１２は、ヒューズキャップ１６２の第１変形例を示す斜視図である。この図１２に示す例においては、周壁部に代えて、窓部１８２を規定する枠部１８６が採用されている。これにより、ヒューズキャップ１６２を成形する原材料を低減することができ、コスト低減を図ることができる。
【００５５】
図１３は、ヒューズキャップ１６２の他の変形例を示す斜視図であり、図１４は、図１３に示されたヒューズキャップ１６２の断面図である。
【００５６】
これら図１３および図１４に示す例においては、図１０に示す把持部１８０の径を周壁部１８１の径としている。
【００５７】
このように、把持部１８０の径を大きくすることで、把持部１８０の内周面と係止部１８５との間の隙間を大きくすることができる。
【００５８】
このため、係止部１８５を成形する金型の厚みを厚くすることができ、金型の損傷を抑制することができる。
【００５９】
図１５は、ヒューズキャップ１６２のさらに他の例を示す分解斜視図である。この図１５に示す例においては、ヒューズキャップ１６２は、キャップ本体１８７と、キャップ本体１８７と別体の係止部１８５とを備えている。係止部１８５は、平板状に形成されており、係止部１８５の先端部には、ヒューズ保持部１７１の溝部１７４に嵌りこむ嵌合部１８９が形成されている。キャップ本体１８７は、有底筒状の把持部１８０と、把持部１８０の端部に連設された枠部１８６とを備えている。
【００６０】
そして、把持部１８０の内周面には、係止部１８５の側辺部を保持する２つの保持部１９２が形成されている。保持部１９２同士は、互いに対向するように配置されている。保持部１９２は、把持部１８０の内表面上に間隔を隔てて形成された２つの保持壁部１９３と、この保持壁部１９３間に形成された溝部１９４とを含む。
【００６１】
図１６は、キャップ本体１８７の側断面図であり、この図１６に示すように、保持壁部１９３および溝部１９４は、いずれも、把持部１８０の開口部側から把持部１８０の上端部に向けて延びている。把持部１８０内のうち、把持部１８０の上端部側には、係止部１８５の端辺を支持する台部１９５が設けられている。
【００６２】
図１７に示すように、係止部１８５を溝部１９４内に嵌め込みながら、係止部１８５を把持部１８０内に挿入する。その後、係止部１８５の端辺が台部１９５と当接することで係止部１８５が位置決めされ、嵌合部１８９が把持部１８０の開口部から突出した状態となる。そして、保持部１９２は、溝部１９４内に挿入された係止部１８５の両側辺部を保持しており、係止部１８５はキャップ本体１８７に固定され、ヒューズキャップ１６２が組み立てられる。
【００６３】
この変形例に係るヒューズキャップ１６２においては、係止部１８５とキャップ本体１８７とは別々に成形される。キャップ本体１８７においては、把持部１８０内に仕切り状の部材がなく、把持部１８０の内表面を成形する金型を単純化することができる。これにより、キャップ本体１８７を成形する金型のコストの低減および金型の損傷の抑制等を図ることができる。なお、係止部１８５自体は、平板状の部材であり、容易に成形可能となってる。
【００６４】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【００６５】
本発明は、電子機器に適用することができ、特に、テレビ共同受信用ブースタ等として利用される電子機器に好適である。
【図面の簡単な説明】
【００６６】
【図１】本発明の実施の形態に係る増幅装置の斜視図である。
【図２】図１に示す増幅装置からカバーを取り外した状態における増幅装置を示す斜視図である。
【図３】図２に示す状態から天板を取り外した状態における増幅装置の斜視図である。
【図４】図３に示す状態から増幅部を取り外した状態を示す斜視図である。
【図５】図４に示す状態から周壁部を取り外した状態を示す斜視図である。
【図６】収容ケースおよび電源部の斜視図である。
【図７】ヒューズホルダの斜視図である。
【図８】ヒューズキャップを上方から見たときの斜視図である。
【図９】下方からヒューズキャップを見た斜視図である。
【図１０】把持部の断面図である。
【図１１】ヒューズ保持部と胴体部との係合状態を解除したときの電源部の斜視図である。
【図１２】ヒューズキャップの第１変形例を示す斜視図である。
【図１３】ヒューズキャップの他の変形例を示す斜視図である。
【図１４】図１３に示されたヒューズキャップの断面図である。
【図１５】ヒューズキャップのさらに他の例を示す分解斜視図である。
【図１６】キャップ本体の側断面図である。
【図１７】ヒューズキャップの側断面図である。
【符号の説明】
【００６７】
１００  増幅装置、１０９，１１０  入出力端子、１１１  モニタ端子、１１２  スイッチ、１１３  カバー、１１４  基板、１１５  操作面、１２０Ａ  主表面、１２０  収容ケース、１２１  天板、１２２  周壁部、１２３  台座、１２４  載置板、１２５，１２６  脚部、１３０  増幅部、１４０  電源部、１４１  基板、１４２  収容ケース、１６０  ヒューズユニット、１６１  ヒューズホルダ、１６２  ヒューズキャップ、１７０  ヒューズ、１７１  ヒューズ保持部、１７２  胴体部、１７３  係止溝、１７４  溝部、１７５  収容室、１８０  把持部、１８１  周壁部、１８２  窓部、１８３  爪部、１８４  ドライバ用溝、１８５  係止部。
【図１】
2010135216.tif 000003
【図２】
2010135216.tif 000004
【図３】
2010135216.tif 000005
【図４】
2010135216.tif 000006
【図５】
2010135216.tif 000007
【図６】
2010135216.tif 000008
【図７】
2010135216.tif 000009
【図８】
2010135216.tif 000010
【図９】
2010135216.tif 000011
【図１０】
2010135216.tif 000012
【図１１】
2010135216.tif 000013
【図１２】
2010135216.tif 000014
【図１３】
2010135216.tif 000015
【図１４】
2010135216.tif 000016
【図１５】
2010135216.tif 000017
【図１６】
2010135216.tif 000018
【図１７】
2010135216.tif 000019